(57)【要約】【課題】  騒音を床下地に伝わり難くくし、大きな目隙の発生や突き上がりを防止する。【解決手段】  基材２の下面にクッション材３を積層して成る床材１を床下地４上に並べて敷設する。第一床材１ａの基材２ａの端面から突設した突部５を、第二床材１ｂの基材２ｂの端面に形成した突部嵌合穴６に嵌め込む。基材２ａの突部下側端面９と基材２ｂの嵌合穴下側端面１１を当接する。突部５の先端面５ａと突部嵌合穴６の底面６ａとの間及び基材２ａの突部上側端面８と基材２ｂの嵌合穴上側端面１０との間の夫々に隙間Ｓ１、Ｓ４を形成する。基材２ａ、２ｂのクッション材３ａ、３ｂを積層していない接続側端部１６ａ、ｂの下面の夫々に形成した係止溝７ａ、７ｂに係止部材１５の両側から上方に向けて突出した係止片１５ｂ、１５ｃの夫々を係止する。【選択図】        図１
2006090095.tif 000002
【特許請求の範囲】
【請求項１】
基材の下面に防音用のクッション材を積層して成る床材を床下地上に複数枚並べて敷設し、隣接する床材のうち一方の床材である第一床材の基材の端面の上下方向の中央部から突設した突部を、他方の床材である第二床材の基材の端面の上下方向の中央部に形成した突部嵌合穴に嵌め込んだ状態で、第一床材と第二床材を接続して成る床構造であって、第一床材の基材の突部の下方に位置する接続側端面と第二床材の基材の突部嵌合穴の下方に位置する接続側端面とを当接した状態で、第一床材の突部の先端面と第二床材の突部嵌合穴の底面との間及び第一床材の基材の突部の上方に位置する接続側端面と第二床材の基材の突部嵌合穴の上方に位置する接続側端面との間に隙間が形成されるようにすると共に、第一床材のクッション材及び第二床材のクッション材の夫々をその接続側端面が基材の接続側端面よりも内側に控えた位置となるように基材の下面に積層し、第一床材の基材のクッション材を積層していない接続側端部の下面及び第二床材の基材のクッション材を積層していない接続側端部の下面に係止溝を形成し、第一床材のクッション材及び第二床材のクッション材との間に形成された空間に係止部材を配置すると共に、該係止部材の両側から上方に向けて突出した係止片の夫々を前記係止溝の夫々に係止して成ることを特徴とする床構造。
【請求項２】
上記係止部材をその下面が床下地の上面よりも上方に位置するように配設し、該係止部材と床下地との間に防音用空間を形成して成ることを特徴とする請求項１に記載の床構造。
【発明の詳細な説明】
【技術分野】
【０００１】
本発明は、床下地に隣接して敷設した床材を本実結合した状態で接続して成る床構造に関する。
【背景技術】
【０００２】
従来から知られている床構造としては、床下地に複数の受け具を並設し、各受け具に木質材からなる床材の下部を嵌むことで、床下地に複数枚の床材を敷設したものがあるが、このものは木質材からなる床材を直接床下地に敷設しているため、騒音が受け具を介して床下地に伝わってしまい、階下に大きな騒音が発生する等の問題がある（例えば特許文献１）。
【０００３】
また上記とは別の従来例として、基材の下面に防音用のクッション材を積層して成る床材を床下地上に複数枚並べて敷設し、床材の基材の端面に形成した雄実となる突部と雌実となる突部嵌合穴とを凹凸嵌合して本実結合したものがあり、このものは基材をクッション材を介して床下地に敷設しているため騒音が床下地に伝わり難くなっている。
【０００４】
しかしこのものはクッション材を介して基材を床下地に敷設しているため、基材が厳密に固定されていない状態となっており、このため施工後において床材の含水率が上昇して床材が伸びた場合には、床材の上部の端面が隣接する床材の上部の端面に突き合わされて床材の突き合せ部分が上方に膨らんで突き上げられたり、また逆に施工後において床材の含水率が低下した場合には床材が縮み、これにより床材間に大きな目隙が発生するといった問題が生じ易くなっている。
【０００５】
また上記のように基材の下面に防音用のクッション材を積層して成る床材を床下地上に複数枚並べて敷設し、基材に両端面の夫々に設けた突部と突部嵌合穴とを凹凸嵌合することで隣接する床材を接続してなる床構造において、基材の突部の下方に位置する接続側端面と基材の突部嵌合穴の下方に位置する接続側端面とを当接した状態で、突部の先端面と突部嵌合穴の底面との間及び突部の上方に位置する接続側端面と突部嵌合穴の上方に位置する接続側端面との間に隙間が形成されるようにした床構造も知られており、このものは隣接する基材の上部間に形成した隙間により床材の伸びを吸収することで上記床材の接続部分の上部の突き上げを防止している（例えば特許文献２）。
【０００６】
またこの特許文献２に示す床構造にあっては、床材の接続部分の突き上げをさらに防止するために、隣接する床材のクッション材の夫々をその接続側端面が基材の接続側端面よりも内側に控えた位置となるように基材の下面に積層し、該クッション材間に接着剤を充填し、該接着剤により隣接する床材の基材の接続側端部の下面を床下地に接着しており、このように接着剤により隣接する床材の基材の接続側端部の下面を床下地に接着した場合には、施工後における床材の含水率の低下に伴う大きな目隙の発生が防止されるように考えられる。
【０００７】
しかしこの特許文献２に示す従来例にあっては、上記接着剤をクッション材間に充填し、この接着剤にて隣接する床材の基材の接続側端部の下面を床下地に接着するといった作業が非常に難しく、またこのため床材の基材の接続側端部の下面を床下地に強固に接着することができず、これにより施工後における床材の含水率の低下に伴う大きな目隙の発生の問題は依然として解消されていない。
【特許文献１】特開２００２−３８６９７号公報
【特許文献２】特開平１０−２０５１０７号公報
【発明の開示】
【発明が解決しようとする課題】
【０００８】
本発明は上記従来の問題点に鑑みて発明したものであって、簡単な施工により床材の含水率の変化に伴う大きな目隙の発生や突き上がりを確実に防止できる床構造を提供することを課題とするものである。
【課題を解決するための手段】
【０００９】
上記課題を解決するために本発明に係る床構造は、基材２の下面に防音用のクッション材３を積層して成る床材１を床下地４上に複数枚並べて敷設し、隣接する床材１ａ、１ｂのうち一方の床材である第一床材１ａの基材２ａの端面の上下方向の中央部から突設した突部５を、他方の床材である第二床材１ｂの基材１ｂの端面の上下方向の中央部に形成した突部嵌合穴６に嵌め込んだ状態で、第一床材１ａと第二床材１ｂを接続して成る床構造であって、第一床材１ａの基材１ｂの突部５の下方に位置する接続側端面９と第二床材１ｂの基材２ｂの突部嵌合穴６の下方に位置する接続側端面１１とを当接した状態で、第一床材１ａの突部５の先端面５ａと第二床材１ｂの突部嵌合穴６の底面６ａとの間及び第一床材１ａの基材２aの突部５の上方に位置する接続側端面８と第二床材１ｂの基材２ｂの突部嵌合穴６の上方に位置する接続側端面１０との間に隙間Ｓ１、Ｓ４が形成されるようにすると共に、第一床材１ａのクッション材３ａ及び第二床材１ｂのクッション材３ｂの夫々をその接続側端面が基材２ａ、２ｂの接続側端面よりも内側に控えた位置となるように基材２ａ、２ｂの下面に積層し、第一床材１ａの基材２ａのクッション材３ａを積層していない接続側端部１６ａの下面及び第二床材１ｂの基材２ｂのクッション材３ｂを積層していない接続側端部１６ｂの下面に係止溝７ａ、７ｂを形成し、第一床材１ａのクッション材３ａ及び第二床材１ｂのクッション材３ｂとの間に形成された空間Ｓ６に係止部材１５を配置すると共に、該係止部材１５の両側から上方に向けて突出した係止片１５ｂ、１５ｃの夫々を前記係止溝７ａ、７ｂの夫々に係止して成ることを特徴とするものである。
【００１０】
上記のように第一床材１ａの基材２ａの突部５下側の端面と第二床材１ｂの基材２ｂの突部嵌合穴６下側の端面とを当接した状態で、第一床材１ａの突部５の先端面５ａと第二床材１ｂの突部嵌合穴６の底面６ａとの間及び第一床材１ａの基材２ａの突部５上側の端面と第二床材１ｂの基材２ｂの突部嵌合穴６上側の端面との間の夫々に隙間Ｓ１、Ｓ４が形成されるようにしたので、施工後において床材１の含水率の上昇に伴って床材１が幅方向に伸びたとしても、この伸びを突部上側端面８と嵌合穴上側端面１０の間の隙間、突部５の先端面５ａと突部嵌合穴６の底面６ａとの間の隙間にて前記床材１の伸びを吸収することができ、これにより隣接する床材１の上部の接続側の端部同士が突き合わされてこの部分が上方に膨らんで突き上げられる現象が起こることを防止できるのは勿論、さらには係止部材１５の両側から上方に向けて突出した係止片１５ｂ、１５ｃの夫々を前記係止溝７の夫々に係止するといった簡単な施工により、隣接する床材１の下部の接続側端部同士を係止部材１５により固定することができ、これにより施工後において床材１の含水率の低下に伴って床材１が縮もうとしたとしても、突部上側端面８と嵌合穴上側端面１０との間に大きな目隙が発生することを確実に防止でき、この結果、簡単な施工により突き上げと大きな目隙の発生を同時に防止できる。
【００１１】
また上記係止部材１５をその下面が床下地４の上面よりも上方に位置するように配設し、該係止部材１５と床下地４との間に防音用空間を形成することも好ましい。このように係止部材１５と床下地４との間に防音用空間Ｓ５を形成することで、係止部材１５が床下地４に接触せず、床材１上の騒音が係止部材１５を介して床下地４に直接伝わることがなくて、一層の防音効果を得ることができる。
【発明の効果】
【００１２】
本発明では簡単な施工により床材の含水率の変化に伴う大きな目隙の発生や突き上がりを防止できる。
【発明を実施するための最良の形態】
【００１３】
本発明の床構造は基材２の下面に防音用のクッション材３を積層して成る床材１を床下地４上に複数枚並べて敷設し、これら複数枚並べて敷設された床材１を、隣接する床材１ａ、１ｂのうち一方の床材である第一床材１ａの端面から突設した突部５を、他方の床材である第二床材１ｂの基材２ｂの端面に形成した突部嵌合穴６に嵌め込んだ状態で接続するものであり、以下本発明を添付図面に示す実施形態に基いて説明する。
【００１４】
本実施形態の床構造は所謂直貼り防音床材である長尺な床材１をモルタル等により形成された床下地４の上面に床材１の幅方向に多数枚並べて敷設したものであり、図２に示すように各床材１は、長尺板状の木質材の幅方向両端部を切削加工して後述する突部５、突部嵌合穴６、係止溝７ａ、７ｂ等を形成してなる基材２と、基材２の下面に接着積層した軟質発泡合成樹脂シート等からなるクッション材３とからなる。
【００１５】
図１は上記敷設された床材１のうち隣接する床材１ａ、１ｂの施工状態を示す断面図であって、この隣接する床材１ａ、１ｂのうち一方の床材である第一床材１ａのクッション材３ａはその接続側端面が基材２ａの接続側端面よりも内側（第二床材１ｂとは反対側）に控えた位置となるように基材２ａの下面に積層されており、また他方の床材である第二床材１ｂのクッション材３ｂも同様その接続側端面が基材２の接続側端面よりも内側（第一床材１ａとは反対側）に控えた位置となるように基材２の下面に積層されており、第一床材１ａのクッション材３ａの下面及び第二床材１ｂのクッション材３ｂの下面はウレタン系の接着剤により床下地４の上面に接着されている。
【００１６】
第一床材１ａの基材２ａの接続側端面の上下方向の中央部には基材２の長手方向における全長に亘って突部５を外側（第二床材１ｂ側）に向けて突設している。第一床材１ａの基材２ａの前記突部５よりも上方に位置する接続側端面（以下この面を突部上側端面８という）は該基材２ａの上面に直交する垂直面となっており、該突部上側端面８と基材２ａの上面とで成す角部は面取りされている。
【００１７】
また第一床材１ａの基材２ａの突部５よりも下方に位置する接続側端面（以下この面を突部下側端面９という）は上端から下端に行く程内側に位置するように傾斜した傾斜面となっている。該突部下側端面９の上端は突部上側端面８よりも外側に位置しており、下端は突部上側端面８よりも内側に位置している。
【００１８】
一方、第二床材１ｂの基材２ｂの接続側端面の上下方向の中央部には基材２の長手方向における全長に亘って内側（第一床材１ａとは反対側）に向けて凹む凹状の溝からなる突部嵌合穴６を凹設している。突部嵌合穴６には上記第一床材１ａの突部５が嵌め込まれており、突部５の先端面５ａと突部嵌合穴６の底面６ａとの間、突部５の上面と突部嵌合穴６の上側内面６ｃとの間、突部５の下面と突部嵌合穴６の下側内面６ｂとの間の夫々には隙間Ｓ１、Ｓ２、Ｓ３が形成されている。
【００１９】
第二床材１ｂの基材２ｂの突部嵌合穴６よりも上方に位置する接続側端面（以下嵌合穴上側端面１０という）は垂直面となっており、該嵌合穴上側端面１０と前述の突部上側端面８との間には隙間Ｓ４が形成されている。また嵌合穴上側端面１０と基材２ｂの上面とで成す角部は面取りされている。
【００２０】
また第二床材１ｂの基材２ｂの突部嵌合穴６よりも下方に位置する接続側端面（以下この面を嵌合穴下側端面１１という）は前記嵌合穴上側端面１０よりも内側に控えた位置にある垂直面となっており、該嵌合穴下側端面１１は突部下側端面９に当接している。嵌合穴下側端面１１は突部嵌合穴６の下側内面６ｂを形成する基材２ｂの下側突部５の先端面にて構成されており、この突部嵌合穴６の下側にある下側突部５の下面の外側端部（つまり第二床材１ｂの基材２ｂの下面の接続側の端部）には外側且つ下方に開口する切欠部１２を形成してあり、そしてこの下側突部５の先端面の上端（先端上側の角）が突部下側端面９の上部における上下方向の所定位置イに当接している。突部嵌合穴６の下側内面６ｂの外側端（つまり下側突部５の先端面の上端）から突部嵌合穴６の底面６ａまでの距離は、前述のように突部下側端面９に嵌合穴下側端面１１を当接した状態において、突部５の先端面５ａと突部嵌合穴６の底面６ａとの間及び突部上側端面８と嵌合穴上側端面１０との間の夫々に０．２ｍｍ〜０．５ｍｍ程度の隙間Ｓ１、Ｓ４が形成される長さとなっているものとする。また突部嵌合穴６の上下長さは、前述のように突部下側端面９に嵌合穴下側端面１１を当接した状態において、突部５の上面と突部嵌合穴６の上側内面６ｃとの間及び突部５の下面と突部嵌合穴６の下側内面６ｂとの間の夫々に前記隙間Ｓ２、Ｓ３が形成される長さとなっているものとする。
【００２１】
上記第一床材１ａの基材２ａのクッション材３ａを積層していない接続側端部１６ａ（即ち基材２ａのクッション材３ａよりも外側に位置する部分）の下面及び第二床材１ｂの基材２ｂのクッション材３ｂを積層していない接続側端部１６ｂ（即ち基材２ｂのクッション材３ｂよりも外側に位置する部分）の下面の夫々には切削加工により基材２ａ、２ｂの長手方向全長に亘って係止溝７ａ、７ｂを形成している。ここで第一床材１ａの係止溝７ａは突部下側端面９よりも内側に形成されており、また第二床材１ｂの係止溝７ｂは突部嵌合穴６の底面６ａよりも内側に形成されている。各係止溝７ａ、７ｂは下部の下溝部１３と、下端から上斜め外側の斜方に伸びる上部の上溝部１４とからなる。下溝部１３の両内側面１３ａ、１３ｂのうち、突部５又は突部嵌合穴６側に位置する内側面１３ａは垂直面となっており、また下溝部１３の突部５と反対側又は突部嵌合穴６と反対側に位置する内側面１３ｂは下端から上端に行く程外側に位置するように傾斜した傾斜面となっている。また上溝部１４の両内側面１４ａ、１４ｂのうち突部５又は突部嵌合穴６側に位置する内側面１４ａは下端から上端に行く程外側に位置するように傾斜した傾斜面となっており、また上溝部１４の突部５と反対側又は突部嵌合穴６と反対側に位置する内側面１４ｂは前記下溝部１３の内側面１３ｂと面一の傾斜面となっている。
【００２２】
上記第一床材１ａのクッション材３ａの接続側端面と第二床材１ｂのクッション材３ｂの接続側端面との間には係止部材１５配置用の空間Ｓ６が形成されており、該空間Ｓ６には上記第一床材１ａと第二床材１ｂとを連結する係止部材１５が配設されている。
【００２３】
係止部材１５は断面上向きコ字状で長手方向の長さが１２０ｍｍ〜１４０ｍｍの長尺な部材であって、その材質は金属又は硬質プラスチックからなり弾性変形可能となっている。係止部材１５は横片１５ａと横片１５ａの両端から上方に突出した係止片１５ｂ、１５ｃとからなる。両係止片１５ｂ、１５ｃは上端部で上方且つ互いに近づく方向の斜方に向けて折曲しており、その上端部に折曲部を形成している。そしてこの係止部材１５の両係止片１５ｂ、１５ｃは前記第一床材１ａの係止溝７ａ及び第二床材１ｂの係止溝７ｂに係止されており、これにより第一床材１ａと第二床材１ｂとは連結されている。この係止状態における係止部材１５は、横片１５ａの下面が床下地４の上面よりも上方に位置しており、係止部材１５の下面と床下地４の上面との間に防音用の隙間Ｓ５が形成されている。また係止部材１５の横片１５ａの上面は各床材１ａ、１ｂの接続側の端部の下面に近接し、且つ各係止片１５ｂ、１５ｃの内側の面は各係止溝７ａ、７ｂの突部５又は突部嵌合穴６側の内側面（下溝部１３の内側面１３ａ及び上溝部１４の内側面１４ａ）にぴったりと当接している。また各係止片１５ｂ、１５ｃと各係止溝７ａ、７ｂの突部５とは反対側又は突部嵌合穴６とは反対側の内側面（下溝部１３の内側面１３ｂ及び上溝部１４の内側面１４ｂ）との間には隙間が形成されている。
【００２４】
なお本実施形態における第一床材１ａ及び第二床材１ｂは共に図２に示す同じ床材１からなるものとする。つまりこの床材１は、基材２の幅方向における一方の端部を前記第一床材１ａの接続側端部１６ａと同じ形状とし、他方の端部を前記第二床材１ｂの接続側端部１６ｂと同じ形状とし、クッション材３をその両側端面が基材２の両側端面よりも内側（第二床材１ｂとは反対側）に控えた位置となるように基材２の下面に積層したものである。
【００２５】
以下上記床下地４への床材１の施工の一例を説明する。床下地４を床材１に施工するにあたっては、まず第一床材１ａをそのクッション材３ａの下面を接着材により床下地４の上面に接着することで床下地４上に敷設すると共に、第一床材１ａの係止溝７ａに係止部材１５の第一床材１ａ側の一方の係止片１５ｂを係止し、この後、係止部材１５を弾性変形させながら第二床材１ｂの突部嵌合穴６に第一床材１ａの突部５を挿入しつつ、第一床材１ａの接続側端部１６ａと係止部材１５の第二床材１ｂ側の他方の係止片１５ｃとの間に第二床材１ｂの下側突部５を嵌め込んで係止部材１５の第二床材１ｂ側の他方の係止片１５ｃを第二床材１ｂの係止溝７ｂに係止すると共に、第二床材１ｂをそのクッション材３の下面を接着材により床下地４の上面に接着することで床下地４上に敷設する。この後、前回敷設された第二床材１ｂを第一床材１ａとして、該第一床材１ａに新たな第二床材１ｂを前回同様接続すると共に該第二床材１ｂを床下地４材に前回同様敷設し、以下同様の作業を繰返して多数枚の床材１を床下地４に施工していく。
【００２６】
このように本発明の床構造にあっては、下面に防音用のクッション材３を有する床材１を床下地４上に施工しているため、該クッション材３により床材１上で発生した騒音が床下地４に伝わり難くなって防音ができるのは勿論、さらにはこのようにクッション材３を介して基材２を床下地４に敷設した場合には基材２は厳密な固定がなされない状態となり、基材２の含水率の変化に伴って大きな目隙の発生や突き上がりが生じやすくなるのだが、本発明ではこのようにクッション材３を介して基材２を床下地４に積層したものにおいて、上記したように突部下側端面９と嵌合穴下側端面１１とを当接した状態で、突部５の先端面５ａと突部嵌合穴６の底面６ａとの間及び突部上側端面８と嵌合穴上側端面１０の夫々に隙間Ｓ１、Ｓ４が形成されるようにしたので、施工後において床材１の含水率の上昇に伴って床材１が幅方向に伸びたとしても、この伸びを、突部５の先端面５ａと突部嵌合穴６の底面６ａとの間及び突部上側端面８と嵌合穴上側端面１０の間とに形成された隙間Ｓ１、Ｓ４にて前記床材１の伸びを吸収することができ、これにより隣接する床材１ａ、１ｂの上部の接続側の端部同士が突き合わされて接続部分が上方に膨らんで突き上げられるといった突き上げ現象が起こることを防止でき、さらには係止部材１５の両係止片１５ｂ、１５ｃを第一床材１ａの係止溝７ａ及び第二床材１ｂの係止溝７ｂに夫々係止しているので、施工後において床材１の含水率の低下に伴って床材１が縮もうとしたとしても、隣接する床材１ａ、１ｂの下部の接続側の端部の相対位置を固定して、突部上側端面８と嵌合穴上側端面１０との間に大きな目隙が発生することを防止でき、上記により突き上げと大きな目隙の発生を同時に防止できる。またその施工にあっては、係止部材１５を弾性変形させながら第二床材１ｂの突部嵌合穴６に第一床材１ａの突部５を挿入しつつ、第一床材１ａの接続側端部１６ａと係止部材１５の第二床材１ｂ側の他方の係止片１５ｃとの間に第二床材１ｂの下側突部５を嵌め込むだけで、係止部材１５の第二床材１ｂ側の他方の係止片１５ｃを第二床材１ｂの係止溝７にワンタッチで簡単に係止することができ、これにより床材１の施工を容易に行える。
【００２７】
さらに本実施形態では嵌合穴下側端面１１を突部嵌合穴６の下側内面６ｂを形成する下側突部５の先端面にて構成し、下側突部５の下面の外側端部に外側且つ下方に開口する切欠部１２を形成し、この下側突部５の先端面の上端角部を上端から下端に行く程内側に位置するように傾斜した突部下側端面９の上部における上下方向の所定位置イに当接しているので、施工後において床材１の含水率の上昇に伴って床材１が幅方向に伸びることにより、下側突部５の先端面が突部下側端面９に強い力で当たった場合には、前記切欠部１２を形成することで変形し易くなった下側突部５の先端部が傾斜した突部下側端面９に沿って下方に曲げられて変形することとなり、これにより床材１の下部の接続側の端部同士が突き合わされて接続部分が上方に膨らむことを防止でき、床材１の接続部分における突き上げを一層防止できる。
【００２８】
また特に本実施形態にあっては上記係止部材１５をその下面が床下地４の上面よりも上方に位置するように配設し、該係止部材１５と床下地４との間に防音用空間Ｓ５を形成してあるので、係止部材１５が床下地４に接触せず、床材１上の騒音が係止部材１５を介して床下地４に直接伝わることがなくて、一層の防音効果を得ることができる。
【図面の簡単な説明】
【００２９】
【図１】本発明の実施の形態の一例を示し、図は施工時における隣接する床材の接続部分を示す断面図である。
【図２】同上の床材の断面図である。
【符号の説明】
【００３０】
Ｓ１  隙間
Ｓ４  隙間
Ｓ５  防音用空間
１  床材
１ａ  第一床材
１ｂ  第二床材
２  基材
２ａ  第一床材の基材
２ｂ  第二床材の基材
３  クッション材
３ａ  第一床材のクッション材
３ｂ  第二床材のクッション材
４  床下地
５  突部
５ａ  先端面
６  突部嵌合穴
６ａ  底面
７  係止溝
７ａ  第一床材の係止溝
７ｂ  第二床材の係止溝
８  突部上側端面
９  突部下側端面
１０  嵌合穴上側端面
１１  嵌合穴下側端面
【図１】
2006090095.tif 000003
【図２】
2006090095.tif 000004